(57)【要約】【課題】優れた初期固定性および回旋抵抗性を備えるとともに、長期にわたって顎骨と強固に結合できる歯科インプラント用フィクスチャーおよび歯科インプラントを提供することである。【解決手段】略円柱状の本体部２と、本体部２の外周部２３のうち後方部２３２において互いに離れて位置している複数の凹部３と、を備え、複数の凹部３のそれぞれは、本体部２の先端部２１および後端部２２を貫く中心軸Ｓに沿って延びているとともに、一端部３１が後端部２２に位置している、歯科インプラント用フィクスチャー１であり、この歯科インプラント用フィクスチャー１を備える、歯科インプラントである。【選択図】図１
2014104121.tif 000002
【特許請求の範囲】
【請求項１】
略円柱状の本体部と、
前記本体部の外周部のうち後方部において互いに離れて位置している複数の凹部と、を備え、
前記複数の凹部のそれぞれは、前記本体部の先端部および後端部を貫く中心軸に沿って延びているとともに、一端部が前記後端部に位置している、歯科インプラント用フィクスチャー。
【請求項２】
前記中心軸に垂直な方向から見たとき、前記複数の凹部のうち少なくとも１つは、前記一端部に向かうにつれて幅が広くなっている、請求項１に記載の歯科インプラント用フィクスチャー。
【請求項３】
前記複数の凹部のうち少なくとも１つは、前記後方部を基準とした深さが、前記一端部に向かうにつれて大きくなっている、請求項１または２に記載の歯科インプラント用フィクスチャー。
【請求項４】
前記複数の凹部のうち少なくとも１つは、前記一端部に向かうにつれて前記中心軸に向かって一定の傾斜角度θ１で傾斜している底部を有する、請求項１〜３のいずれかに記載の歯科インプラント用フィクスチャー。
【請求項５】
前記複数の凹部のうち少なくとも１つは、前記一端部に向かうにつれて前記中心軸に向かって傾斜角度θ２で傾斜している底部を有し、前記傾斜角度θ２が、前記一端部に向かうにつれて小さくなっているとともに、前記底部のうち前記一端部側の部位が、前記中心軸に平行である、請求項１〜３のいずれかに記載の歯科インプラント用フィクスチャー。
【請求項６】
前記複数の凹部のうち少なくとも１つは、底部および前記底部に接続している一対の側壁部を有し、前記中心軸に垂直な方向から見たとき、前記底部は、前記一端部に向かうにつれて幅が狭くなっているとともに、前記一対の側壁部のそれぞれは、前記底部を基準とした高さが、前記一端部に向かうにつれて高くなっている、請求項１〜５のいずれかに記載の歯科インプラント用フィクスチャー。
【請求項７】
前記複数の凹部のうち少なくとも１つは、底部および前記底部に接続している一対の側壁部を有し、後端視において、前記底部および前記一対の側壁部のそれぞれの交差部は、曲線状である、請求項１〜６のいずれかに記載の歯科インプラント用フィクスチャー。
【請求項８】
前記複数の凹部のそれぞれは、底部を有し、複数の前記底部をそれぞれ通り中心が前記中心軸上に位置している仮想円の径が、前記一端部に向かうにつれて小さくなっている、請求項１または２に記載の歯科インプラント用フィクスチャー。
【請求項９】
前記中心軸に垂直な方向から見たとき、前記後方部は、前記後端部に向かうにつれて径が大きくなっている、請求項１、２および８のいずれかに記載の歯科インプラント用フィクスチャー。
【請求項１０】
前記後方部のうち前記先端部側の端部が円形状であり、前記端部を前記中心軸に沿って前記後端部まで移動させた仮想円の円周に対して外方に突出している部分と、内方に凹んでいる部分とを交互に有し、前記外方に突出している部分が前記後方部の一部であるとともに、前記内方に凹んでいる部分が前記凹部の一部である、請求項１、２、８および９のいずれかに記載の歯科インプラント用フィクスチャー。
【請求項１１】
前記本体部は、前記後方部と前記後端部との交差部を面取りしてなる面取り部をさらに有する、請求項１〜１０のいずれかに記載の歯科インプラント用フィクスチャー。
【請求項１２】
前記外周部のうち先方部が、セルフタップネジ部を有する、請求項１〜１１のいずれかに記載の歯科インプラント用フィクスチャー。
【請求項１３】
請求項１〜１２のいずれかに記載の歯科インプラント用フィクスチャーと、
前記歯科インプラント用フィクスチャーの前記後端部に取り付けられる構造部品と、を備える、歯科インプラント。
【発明の詳細な説明】
【技術分野】
【０００１】
本発明は、歯科インプラント用フィクスチャーおよびそれを備える歯科インプラントに関する。
【背景技術】
【０００２】
従来から、歯科インプラント用フィクスチャー（以下、「フィクスチャー」と言うことがある。）を顎骨に埋入することによって、喪失した歯牙の機能を補う歯科インプラント埋植手術が行われている（例えば、特許文献１，２参照）。
【０００３】
しかし、特許文献１，２に記載されているような従来のフィクスチャーは、後端部側から見たときの後端部近傍が略円形状であることから回転し易く、それゆえ初期固定性および回旋抵抗性が低く、緩み易いという問題があった。
【先行技術文献】
【特許文献】
【０００４】
【特許文献１】特開２０１０−１８８０６２号公報
【特許文献２】特許第４７４０１３９号公報
【発明の概要】
【発明が解決しようとする課題】
【０００５】
本発明の課題は、優れた初期固定性および回旋抵抗性を備えるとともに、長期にわたって顎骨と強固に結合できる歯科インプラント用フィクスチャーおよび歯科インプラントを提供することである。
【課題を解決するための手段】
【０００６】
本発明者らは、上記課題を解決すべく鋭意研究を重ねた結果、以下の構成からなる解決手段を見出し、本発明を完成するに至った。
（１）略円柱状の本体部と、前記本体部の外周部のうち後方部において互いに離れて位置している複数の凹部と、を備え、前記複数の凹部のそれぞれは、前記本体部の先端部および後端部を貫く中心軸に沿って延びているとともに、一端部が前記後端部に位置している、歯科インプラント用フィクスチャー。
（２）前記中心軸に垂直な方向から見たとき、前記複数の凹部のうち少なくとも１つは、前記一端部に向かうにつれて幅が広くなっている、前記（１）に記載の歯科インプラント用フィクスチャー。
（３）前記複数の凹部のうち少なくとも１つは、前記後方部を基準とした深さが、前記一端部に向かうにつれて大きくなっている、前記（１）または（２）に記載の歯科インプラント用フィクスチャー。
（４）前記複数の凹部のうち少なくとも１つは、前記一端部に向かうにつれて前記中心軸に向かって一定の傾斜角度θ１で傾斜している底部を有する、前記（１）〜（３）のいずれかに記載の歯科インプラント用フィクスチャー。
（５）前記複数の凹部のうち少なくとも１つは、前記一端部に向かうにつれて前記中心軸に向かって傾斜角度θ２で傾斜している底部を有し、前記傾斜角度θ２が、前記一端部に向かうにつれて小さくなっているとともに、前記底部のうち前記一端部側の部位が、前記中心軸に平行である、前記（１）〜（３）のいずれかに記載の歯科インプラント用フィクスチャー。
（６）前記複数の凹部のうち少なくとも１つは、底部および前記底部に接続している一対の側壁部を有し、前記中心軸に垂直な方向から見たとき、前記底部は、前記一端部に向かうにつれて幅が狭くなっているとともに、前記一対の側壁部のそれぞれは、前記底部を基準とした高さが、前記一端部に向かうにつれて高くなっている、前記（１）〜（５）のいずれかに記載の歯科インプラント用フィクスチャー。
（７）前記複数の凹部のうち少なくとも１つは、底部および前記底部に接続している一対の側壁部を有し、後端視において、前記底部および前記一対の側壁部のそれぞれの交差部は、曲線状である、前記（１）〜（６）のいずれかに記載の歯科インプラント用フィクスチャー。
（８）前記複数の凹部のそれぞれは、底部を有し、複数の前記底部をそれぞれ通り中心が前記中心軸上に位置している仮想円の径が、前記一端部に向かうにつれて小さくなっている、前記（１）または（２）に記載の歯科インプラント用フィクスチャー。
（９）前記中心軸に垂直な方向から見たとき、前記後方部は、前記後端部に向かうにつれて径が大きくなっている、前記（１）、（２）および（８）のいずれかに記載の歯科インプラント用フィクスチャー。
（１０）前記後方部のうち前記先端部側の端部が円形状であり、前記端部を前記中心軸に沿って前記後端部まで移動させた仮想円の円周に対して外方に突出している部分と、内方に凹んでいる部分とを交互に有し、前記外方に突出している部分が前記後方部の一部であるとともに、前記内方に凹んでいる部分が前記凹部の一部である、前記（１）、（２）、（８）および（９）のいずれかに記載の歯科インプラント用フィクスチャー。
（１１）前記本体部は、前記後方部と前記後端部との交差部を面取りしてなる面取り部をさらに有する、前記（１）〜（１０）のいずれかに記載の歯科インプラント用フィクスチャー。
（１２）前記外周部のうち先方部が、セルフタップネジ部を有する、前記（１）〜（１１）のいずれかに記載の歯科インプラント用フィクスチャー。
（１３）前記（１）〜（１２）のいずれかに記載の歯科インプラント用フィクスチャーと、前記歯科インプラント用フィクスチャーの前記後端部に取り付けられる構造部品と、を備える、歯科インプラント。
【発明の効果】
【０００７】
本発明によれば、優れた初期固定性および回旋抵抗性を発揮できるとともに、長期にわたって顎骨と強固に結合できるという効果がある。また、これらの効果が相まって、骨吸収または感染を予防することができる。
【図面の簡単な説明】
【０００８】
【図１】本発明の一実施形態に係る歯科インプラント用フィクスチャーを示す斜視図である。
【図２】図１に示す歯科インプラント用フィクスチャーを示す図であり、（ａ）は側面図、（ｂ）は（ａ）のＸ矢視平面図（後端視図）である。
【図３】（ａ）〜（ｃ）は、図１に示す歯科インプラント用フィクスチャーを用いて行う本発明の一実施形態に係る歯科インプラント埋植手術を示す概略説明図である。
【図４】図３に示す歯科インプラント埋植手術を示す図であり、（ａ）は図３（ｂ）のＡ−Ａ線拡大断面図、（ｂ）は図３（ｃ）のＢ−Ｂ線拡大断面図である。
【図５】図１に示す歯科インプラント用フィクスチャーの凹部近傍を示す部分拡大側面図である。
【図６】図１に示す歯科インプラント用フィクスチャーの凹部近傍を示す部分拡大平面図（後端視図）である。
【発明を実施するための形態】
【０００９】
以下、本発明の一実施形態に係る歯科インプラント用フィクスチャーおよび歯科インプラントについて、図１〜図６を参照して詳細に説明する。
【００１０】
図１および図２（ａ）に示すように、本実施形態のフィクスチャー１は、略円柱状の本体部２を備えている。本実施形態の本体部２は、その先端部２１から後端部２２までの長さが８〜１４ｍｍであるが、これに限定されるものではない。
【００１１】
本実施形態において、本体部２の先端部２１は、図３（ｂ），（ｃ）に示すように、フィクスチャー１を顎骨１１０に埋入したとき、歯槽骨１１１の海綿骨１１３側に位置する部位である。また、本実施形態において、本体部２の後端部２２は、後述するヒーリングキャップ４および構造部品側に位置する部位である。
【００１２】
本実施形態の本体部２は、図１および図２（ａ）に示すように、外周部２３を有する。本実施形態の外周部２３は、先端部２１側に位置している先方部２３１と、後端部２２側に位置している後方部２３２とを有する。本実施形態において、先方部２３１および後方部２３２は、互いに連続しているとともに、先方部２３１の面積が後方部２３２の面積よりも大きい。
【００１３】
一方、本実施形態のフィクスチャー１は、本体部２の外周部２３のうち後方部２３２において互いに離れて位置している複数の凹部３を備えている。本実施形態の複数の凹部３のそれぞれは、フィクスチャー１の中心軸Ｓに沿って延びている。フィクスチャー１の中心軸Ｓとは、本体部２の先端部２１および後端部２２を貫く軸であり、後端視において、フィクスチャー１を回転させたときに回転軸となる軸を意味するものとする。後端視とは、図２（ｂ）に示すように、後端部２２側からフィクスチャー１を見た状態を意味するものとする。
【００１４】
そして、本実施形態の複数の凹部３のそれぞれは、その一端部３１が本体部２の後端部２２に位置している。このような構成によれば、歯科インプラント埋植手術の過程において、優れた初期固定性および回旋抵抗性を発揮できるため、埋植手術後のフィクスチャー１が顎骨１１０との間でマイクロムーブメントを発生させることを抑制でき、結果としてフィクスチャー１周囲の骨再生を促進できるとともに、長期にわたって顎骨１１０と強固に結合できるという効果が得られる。
【００１５】
具体的に説明すると、本実施形態のフィクスチャー１を用いて歯科インプラント埋植手術を行う場合には、まず、図３（ａ）に示すように、歯肉１０１および顎骨１１０の歯槽骨１１１にドリル等によって埋入孔１００を穿孔する。本実施形態の埋入孔１００は、フィクスチャー１よりも若干小さな形状を有する。
【００１６】
次に、図３（ｂ）に示すように、穿孔した埋入孔１００に本実施形態のフィクスチャー１を埋入する。ここで、本実施形態のフィクスチャー１は、図２（ｂ）に示すように後端視において、後方部２３２の形状が非円形である。すなわち、本実施形態の後方部２３２は、互いに隣接している凹部３，３の間に位置している凸領域２３２ａを複数有する。複数の凸領域２３２ａは、後方部２３２において複数の凹部３と交互に位置している。したがって、本実施形態の後方部２３２は、後端視において、凹凸形状を有する。このような構成によれば、図４（ａ）に示すように、フィクスチャー１を埋入孔１００に埋入したとき、複数の凸領域２３２ａのそれぞれが、歯槽骨１１１の皮質骨１１２に食い込むので、優れた初期固定性を発揮することが可能となる。
【００１７】
また、本実施形態のフィクスチャー１を埋入孔１００に埋入すると、複数の凹部３のそれぞれと皮質骨１１２との間には適度な隙間１２０が形成される。この隙間１２０は、図４（ｂ）に示すように、数週間から数か月程度の免荷期間を経て皮質骨１１２の再生によって埋まるので、結果としてフィクスチャー１の回旋固定性が向上するとともに、固定性が初期状態よりも向上し、長期にわたって顎骨１１０と強固に結合することが可能となる。特に、本実施形態のフィクスチャー１は、凹凸形状を有する後方部２３２において顎骨１１０と強固に結合するので、口腔からの細菌の侵入を抑制することができ、それゆえ骨吸収または感染を予防することができる。
【００１８】
なお、歯肉１０１を保護する上で、免荷期間中は、図３（ｂ）に示すように、後端部２２にヒーリングキャップ４を取り付けるのが好ましい。本実施形態において、ヒーリングキャップ４の取り付けは、図１および図２（ｂ）に示すように、後端部２２の略中央部に位置している有底の取り付け孔２２１を介して行う。
【００１９】
また、フィクスチャー１の顎骨１１０への固定が完了した後は、図３（ｃ）に示すように、ヒーリングキャップ４を後端部２２から取り外し、後端部２２に図示しない構造部品を取り付けて歯科インプラントとし、治療を終了する。
【００２０】
本実施形態において、構造部品の取り付けは、ヒーリングキャップ４の取り付けと同様に、取り付け孔２２１を介して行う。また、本実施形態の構造部品は、いわゆる人工の歯であり、これには金属製またはセラミック製の人工歯が含まれる。金属製またはセラミック製の人工歯は、通常、オーダーメイドで作られ、アバットメントを介してフィクスチャー１の後端部２２に取り付けられる。金属製またはセラミック製の人工歯は、単独型であってもよいし、連結型(ブリッジ)であってもよい。また、上述した人工の歯には、人工歯の他に、義歯も含まれる。義歯としては、例えば部分入れ歯や総入れ歯等のいわゆる入れ歯等が挙げられる。入れ歯は、取り外し可能な状態でアタッチメントを介してフィクスチャー１の後端部２２に取り付けられる。
【００２１】
一方、複数の凹部３のそれぞれの他端部３２の位置については、特に限定されないが、他端部３２の位置を調節すると、凹部３の中心軸Ｓに平行な方向における長さを調整することができる。本実施形態では、図１および図２（ａ）に示すように、複数の凹部３のそれぞれの他端部３２は、後方部２３２のうち先端部２１側の端部２３２ｂに位置している。このような構成によれば、複数の凹部３のそれぞれの長さを大きくできることから、後方部２３２の凹凸形状も十分に大きくなり、結果として複数の凹部３による上述した効果を向上させることができる。
【００２２】
また、本実施形態では、凹部３の数は３つである。したがって、本実施形態では、３つの凹部３および３つの凸領域２３２ａが後方部２３２において交互に位置している。なお、凹部３の数は複数である限り、３つに限定されるものではなく、フィクスチャー１の形状等に応じて所望の数を採用することができる。凹部３の数としては、通常、２〜６つ程度が適当であるが、これに限定されるものではない。
【００２３】
複数の凹部３の構成は、互いに同じであってもよいし、異なっていてもよい。複数の凹部３が互いに同じ構成を有する場合には、その構成は実質的に同じであればよい。本実施形態の３つの凹部３は、実質的に同じ構成を有する。
【００２４】
複数の凹部３は、後方部２３２において互いに略等間隔で位置していてもよいし、異なる間隔で位置していてもよい。本実施形態の３つの凹部３は、図２（ｂ）に示すように、中心軸Ｓを中心として１２０°回転対称となるように、後方部２３２において互いに略等間隔で位置している。
【００２５】
また、本実施形態では、図５に示すように中心軸Ｓに垂直な方向から見たとき、３つの凹部３のそれぞれは、一端部３１に向かうにつれて幅Ｗ１が広くなっている。このような構成によれば、図１に示すように、凸領域２３２ａの中心軸Ｓに垂直な方向における幅Ｗ２が、後端部２２に向かうにつれて小さくなることから、凸領域２３２ａのうち後端部２２側の部位が皮質骨１１２に食い込み易くなる。さらに、再生する皮質骨１１２と凹部３との接触面積が一端部３１に向かうにつれて大きくなることから、構造部品が取り付けられることによって負荷を受け易い後端部２２側において、回旋固定性を向上させることができる。
【００２６】
本実施形態の３つの凹部３のそれぞれは、後方部２３２を基準とした深さが、一端部３１に向かうにつれて大きくなっている。より具体的に説明すると、本実施形態の３つの凹部３のそれぞれは、図５に示すように、底部３３を有する。本実施形態の３つの底部３３のそれぞれは、一端部３１に向かうにつれて中心軸Ｓに向かって図示しない一定の傾斜角度θ１で傾斜している。言い換えれば、本実施形態では、図１に示すように、３つの底部３３をそれぞれ通り中心が中心軸Ｓ上に位置している仮想円Ｃ１の径が、一端部３１に向かうにつれて小さくなっている。このような構成によれば、底部３３と皮質骨１１２との間の距離が一端部３１に向かうにつれて大きくなることから、一端部３１側において皮質骨１１２を多く再生させることができる。その結果、構造部品が取り付けられることによって負荷を受け易い後端部２２側において、回旋固定性を向上させることができる。
【００２７】
また、本実施形態では、図５に示すように中心軸Ｓに垂直な方向から見たとき、後方部２３２は、後端部２２に向かうにつれて径Ｄが大きくなっている。言い換えれば、本実施形態では、３つの凸領域２３２ａをそれぞれ通り中心が中心軸Ｓ上に位置している図示しない仮想円の径が、後端部２２に向かうにつれて大きくなっている。このような構成によれば、凸領域２３２ａのうち後端部２２側の部位が外方に突出することから、皮質骨１１２に食い込み易くなる。
【００２８】
ここで、本実施形態の後方部２３２は、上述の通り凹凸形状を有するが、底部３３および凸領域２３２ａのそれぞれが上述した仮想円を有することから、後方部２３２のうち後端部２２側の部位において凹凸の高低差が大きい。具体的に説明すると、本実施形態のフィクスチャー１は、図１に示すように、後方部２３２のうち先端部２１側の端部２３２ｂが円形状であり、端部２３２ｂを中心軸Ｓに沿って後端部２２まで移動させた仮想円Ｃ２の円周に対して外方に突出している部分と、内方に凹んでいる部分とを交互に有する。
【００２９】
そして、本実施形態では、外方に突出している部分が後方部２３２の一部であるとともに、内方に凹んでいる部分が凹部３の一部である。このような構成によれば、後方部２３２のうち後端部２２側の部位において凹凸の高低差が大きくなることから、構造部品が取り付けられることによって負荷を受け易い後端部２２側において、後方部２３２が凹凸形状を有することによる上述した効果を確実に発揮させることができる。なお、本実施形態の後方部２３２は、後端部２２に向かうにつれて凹凸の高低差が大きくなっている。また、上述した円形状の端部２３２ｂの径は、通常、３．７〜５．２ｍｍであるが、これに限定されるものではない。
【００３０】
一方、上述した３つの凹部３のそれぞれは、図５に示すように、底部３３に接続している一対の側壁部３４，３４をさらに有する。そして、中心軸Ｓに垂直な方向から見たとき、本実施形態の底部３３は、一端部３１に向かうにつれて幅Ｗ２が狭くなっているとともに、本実施形態の一対の側壁部３４，３４のそれぞれは、底部３３を基準とした高さＨが、一端部３１に向かうにつれて高くなっている。このような構成によれば、一対の側壁部３４，３４の面積を一端部３１に向かうにつれて大きくできることから、皮質骨１１２に食い込むことによって負荷を受け易い凸領域２３２ａの後端部２２側の部位の強度を確保することができる。
【００３１】
また、本実施形態では、図６に示すように後端視において、底部３３および一対の側壁部３４，３４のそれぞれの交差部３５が曲線状である。このような構成によれば、再生する皮質骨１１２が交差部３５に接触し易くなることから、皮質骨１１２の再生によって隙間１２０を埋める時間を短縮することができる。
【００３２】
本実施形態の本体部２は、後方部２３２と後端部２２との交差部を面取りしてなる面取り部２４をさらに有する。このような構成によれば、後端部２２にヒーリングキャップ４および構造部品を取り付けるときに後方部２３２と後端部２２との交差部が欠損するのを抑制することができる。
【００３３】
本実施形態では、図１および図２（ａ）に示すように、外周部２３のうち先方部２３１がセルフタップネジ部２３１ａを有する。本実施形態のセルフタップネジ部２３１ａは、先方部２３１の全周にわたって位置しているとともに、先方部２３１のうち中央部近傍から先端部２１に向かうにつれて小径になるテーパ状である。このような構成によれば、上述した図３（ｂ）に示すフィクスチャー１を埋入孔１００に埋入する過程において、埋入孔１００の内周面を削りつつ生成する切屑を排出しながらフィクスチャー１を埋入孔１００に埋入できることから、フィクスチャー１の固定性を向上させることができる。
【００３４】
以上、本発明に係る好ましい実施形態について例示したが、本発明は上述した実施形態に限定されるものではなく、本発明の要旨を逸脱しない限り任意のものとすることができることは言うまでもない。
【００３５】
例えば、上述の一実施形態では、底部３３を一定の傾斜角度θ１で傾斜させているが、これに代えて、一端部３１に向かうにつれて小さくなる傾斜角度θ２で底部３３を傾斜させることができる。言い換えれば、３つの底部３３をそれぞれ通り中心が中心軸Ｓ上に位置している仮想円Ｃ１の径が、一端部３１に向かうにつれて小さくなる割合を、一端部３１に向かうにつれて小さくすることができる。このような構成によれば、底部３３のうち一端部３１側の部位が、中心軸Ｓに平行になる。その結果、底部３３の一端部３１側の部位と、皮質骨１１２との間の距離が小さくなるので、皮質骨１１２が再生して凹部３に接触して固着するまでの時間を短縮することができる。
【００３６】
また、上述の一実施形態では、凸領域２３２ａを曲面状にしているが、これに代えて、凸領域２３２ａを、凹凸を有する構成にすることができる。このような構成によれば、フィクスチャー１の固定性を向上させることができる。
【符号の説明】
【００３７】
１  歯科インプラント用フィクスチャー
２  本体部
２１  先端部
２２  後端部
２２１  取り付け孔
２３  外周部
２３１  先方部
２３１ａ  セルフタップネジ部
２３２  後方部
２３２ａ  凸領域
２３２ｂ  端部
２４  面取り部
３  凹部
３１  一端部
３２  他端部
３３  底部
３４  側壁部
３５  交差部
４  ヒーリングキャップ
１００  埋入孔
１０１  歯肉
１１０  顎骨
１１１  歯槽骨
１１２  皮質骨
１１３  海綿骨
１２０  隙間
【図１】
2014104121.tif 000003
【図２】
2014104121.tif 000004
【図３】
2014104121.tif 000005
【図４】
2014104121.tif 000006
【図５】
2014104121.tif 000007
【図６】
2014104121.tif 000008